(57)【要約】      （修正有）【課題】  記録媒体の使用に特別な変更を追加しなくてもデータ再生時にユーザデータか否かの判断ができるようにする。【解決手段】  ＣＰＵ１４は、初期化処理を行い（Ｓ３）、ホストコンピュータへ処理終了を報告する（Ｓ４）。その後、ダミーデータ記録を行うＤｅ−ｉｃｅを開始し（Ｓ５）、Ｄｅ−ｉｃｅビットを１にする。続いて、ホストコンピュータからユーザデータ記録要求が有ったか否かを判断し（Ｓ６）、ユーザデータ記録要求があった場合、Ｄｅ−ｉｃｅビットをゼロにして、ユーザデータ記録を行い（Ｓ７）、ビットマップを更新する（Ｓ８）。一方、ユーザデータ記録要求がない場合、バックグランドフォーマットが終了したか否かを判断し（Ｓ９）、終了していない場合は、ＬＷＡを更新し（Ｓ１０）、ステップ６の処理へ戻る。また、フォーマットが終了していた場合、この処理を終了する。【選択図】        図９
2006185559.tif 000002
【特許請求の範囲】
【請求項１】
データ領域内に予め設定した最小単位で構成されたデータを所定数集めたブロック単位で記録し、前記最小単位はユーザデータを記録するユーザデータ部と前記ユーザデータとダミーデータとを識別可能にする属性情報を記録する属性情報部とを有する情報記録媒体に対して、前記データ領域内の任意の領域に記録を行う記録手段と、前記データ領域に記録されたデータを再生する再生手段と、前記データ領域内に対して前記ダミーデータを記録するダミーデータ記録手段とを備えた情報記録再生装置であって、
前記記録手段及びダミーデータ記録手段に、前記属性情報部に前記属性情報を記録する属性情報記録手段を設けたことを特徴とする情報記録再生装置。
【請求項２】
請求項１記載の情報記録再生装置において、前記再生手段は、前記属性情報に基づいて前記データ領域のうち前記ユーザデータが記録されている領域と、前記ユーザデータが記録されていない領域とを識別する識別手段と、該識別手段による識別結果に基づいて前記再生手段による再生を制御する制御手段とを有することを特徴とする情報記録再生装置。
【請求項３】
請求項２記載の情報記録再生装置において、前記再生手段は、外部から再生を要求された領域を再生し、その再生が正常に終了しなかった再生エラー領域に対して、前記識別手段によってユーザデータが記録されている領域か否かを識別させる手段を有し、前記制御手段は、前記識別手段によってユーザデータが記録されていない領域であったことを識別したときに前記ダミーデータを返送する手段を有することを特徴とする情報記録再生装置。
【請求項４】
請求項２記載の情報記録再生装置において、前記再生手段は、外部から再生を要求された領域を再生し、その再生が正常に終了しなかった再生エラー領域に対して、前記識別手段によってユーザデータが記録されている領域か否かを識別させる手段を有し、前記制御手段は、前記識別手段によってユーザデータが記録されている領域であると識別したときに再生のリトライを行う手段を有することを特徴とする情報記録再生装置。
【請求項５】
請求項２記載の情報記録再生装置において、前記再生手段は、外部から再生を要求された領域を再生し、その再生が正常に終了しなかった再生エラー領域に対して、前記識別手段によってユーザデータが記録されている領域か否かを識別させる手段を有し、前記制御手段は、前記識別手段によってユーザデータが記録されている領域であると識別したときに再生処理をエラーにする手段を有することを特徴とする情報記録再生装置。
【請求項６】
請求項１乃至５のいずれか一項に記載の情報記録再生装置において、前記識別手段によってユーザデータが記録されている領域か否かを識別できなかったときには、再生処理をエラーにする手段を設けたことを特徴とする情報記録再生装置。
【請求項７】
請求項１乃至５のいずれか一項に記載の情報記録再生装置において、前記識別手段によってユーザデータが記録されている領域か否かを識別できなかったときには、その識別できなかった領域を欠陥領域とする手段を設けたことを特徴とする情報記録再生装置。
【請求項８】
請求項３乃至７のいずれか一項に記載の情報記録再生装置において、前記データ領域内の欠陥を交替する交替手段を設け、前記交替手段に、前記識別手段によってユーザデータが記録されていない領域と識別したときに当該再生エラー領域の交替を行って所定の交替領域にダミーデータを記録する手段を設けたことを特徴とする情報記録再生装置。
【請求項９】
請求項１乃至８のいずれか一項に記載の情報記録再生装置において、前記データ領域内の欠陥領域を検出する欠陥検出手段と、該欠陥検出手段によって検出された前記データ領域内の欠陥領域を交替領域に交替する交替手段とを設け、前記欠陥検出手段に、前記データ領域内で検出された欠陥領域に前記識別手段によってユーザデータが記録されていない領域と識別したときに当該欠陥領域の交替を行って所定の交替領域にダミーデータを記録する手段を設けたことを特徴とする情報記録再生装置。
【請求項１０】
データ領域内に予め設定した最小単位で構成されたデータを所定数集めたブロック単位で記録し、前記最小単位はユーザデータを記録するユーザデータ部と前記ユーザデータとダミーデータとを識別可能にする属性情報を記録する属性情報部とを有する情報記録媒体に対して、前記データ領域内の任意の領域に記録を行う記録工程と、前記データ領域に記録されたデータを再生する再生工程と、前記データ領域内に対して前記ダミーデータを記録するダミーデータ記録工程とからなる情報記録再生方法であって、
前記記録工程及びダミーデータ記録工程に、前記属性情報部に前記属性情報を記録する属性情報記録工程を設けたことを特徴とする情報記録再生方法。
【請求項１１】
コンピュータに、データ領域内に予め設定した最小単位で構成されたデータを所定数集めたブロック単位で記録し、前記最小単位はユーザデータを記録するユーザデータ部と前記ユーザデータとダミーデータとを識別可能にする属性情報を記録する属性情報部とを有する情報記録媒体に対して、前記データ領域内の任意の領域に記録を行う記録手順と、前記データ領域に記録されたデータを再生する再生手順と、前記データ領域内に対して前記ダミーデータを記録するダミーデータ記録手順とを実行させるプログラムであって、前記記録手順及びダミーデータ記録手順に、前記属性情報部に前記属性情報を記録する属性情報記録手順を設けたプログラム。
【請求項１２】
請求項１１記載のプログラムを記録したコンピュータ読み取り可能な記録媒体。
【発明の詳細な説明】
【技術分野】
【０００１】
この発明は、ＣＤ−Ｒディスク、ＣＤ−ＲＷディスク、ＤＶＤ−Ｒディスク、ＤＶＤ−ＲＷディスク、ＤＶＤ＋Ｒディスク、ＤＶＤ＋ＲＷディスク、ＤＶＤ−ＲＡＭディスク等の記録媒体に対する情報の記録及び再生を行う情報記録再生装置と、上記のような記録媒体に対する情報の記録及び再生を行う情報記録再生方法、コンピュータに上記のような記録媒体に対する情報の記録及び再生を行わせるプログラム、上記プログラムを記録したコンピュータ読み取り可能な記録媒体に関する。
【背景技術】
【０００２】
現在、記録型ＣＤディスクやＤＶＤディスクにはＣＤ−Ｒディスク，ＣＤ−ＲＷディスク、ＤＶＤ＋ＲＷディスク，ＤＶＤ＋Ｒディスクといった規格がある。
ＤＶＤ＋ＲＷディスクでは、ＣＤ−ＲＷディスクと違い、バックグランドフォーマットを採用している。
そのバックグランドフォーマットとは、従来のフォーマットと違い、必要最低限な部分のみフォーマット（「イニシャライズ」という）し、残りの部分は何もしていない時にユーザデータ領域の先頭から連続的にダミーデータ記録を行うため、イニシャライズ終了後即、ディスク全面に対してのアクセスが可能になる。
また、バックグランドフォーマットはいつでも停止させることが可能であり、その場合テンポラリリードアウト領域（Ｔｅｍｐｏｒａｒｙ  Ｌｅａｄ−Ｏｕｔ）をつけることによって、ＤＶＤ−ＲＯＭディスクとの互換性が向上する。
【０００３】
また、テンポラリリードアウト領域をつけなくても取り出しは可能であり、その場合には、記録、未記録が混在する状態になる。
停止の際には、どこまでフォーマットが終了したか否かをラストリットンアドレス（Ｌａｓｔ  Ｗｒｉｔｔｅｎ  Ａｄｄｒｅｓｓ：ＬＷＡ）に保存しておくので、次回バックグランドフォーマットを再開する場合、そのＬＷＡから再開することができる。
上述のように、バックグランドフォーマットが開始すれば、ディスク全面に対してアクセスが可能であるため、未フォーマット領域に対してユーザデータを記録した場合、その後のバックグランドフォーマット処理で上書きされないように、ほとんどのドライブがビットマップを保持している。
【０００４】
ビットマップとは、その領域が未記録か既記録か否かを判断するための情報であり、あるアドレスが記録されるとその領域に対応したビットマップのビット（Ｂｉｔ）が１から０になり、既記録、未記録の判断をすることが可能であり、それによって未記録部分に対して再生要求があった場合、ビットマップを参照して、ダミーデータを返すといった処理が可能となる。
【０００５】
上述のようにビットマップを用いることにより、未記録と既記録の判断が可能となるが、現状のビットマップの機能では、ユーザーデータとダミーデータの判断が付かず、問題となる場合がある。
例えば、バックグランドフォーマット済みの領域に対して、ユーザーデータ記録を行い、その後そのアドレスに対して再生要求があり、再生ができなかった場合、ダミーデータが記録されていれば、ダミーのデータを返し、ユーザーデータならエラーにすることが可能であるが、現状のビットマップでは不可能である。
【０００６】
従来、記録済みか未記録かどうかのビットマップとユーザーデータが記録済みか未記録かを示す２種類のビットマップを用意して、書き換え可能なディスクを読み出し専用ディスクのドライブにより再生するための処理を効率的に行う情報記録再生装置（例えば、特許文献１参照）があった。
また、データ訂正能力を向上させ、ＩＤは８０％、ＩＥＤは１００％の確率で予測することを可能にし、データ部分のエラー訂正ができない場合でもＩＤ部分をかなりの確率で読むことが可能にした情報記録再生装置（例えば、特許文献２参照）があった。
【特許文献１】特開平１１−８６４１８号公報
【特許文献２】特開２００３−１２３４０７号公報
【発明の開示】
【発明が解決しようとする課題】
【０００７】
しかしながら、従来の情報記録再生装置では、ユーザーデータ用とダミーデータ用の２種類のビットマップを持つので、メモリ容量を圧迫してしまうため、容量の少ない組込み機器ではコストアップを招くという問題があった。
つまり、このような情報記録再生装置の場合、記録する範囲が大きくなるほど、そのビットマップが大きくなり、２種類のビットマップを持つということは、その分メモリの消費量が大きくなり、メモリ量は限られているため、実際の使用が厳しくなる。また、２種類のビットマップを使用するということは、それぞれのビットをチェックして判別しなければならず、効率が悪い。
【０００８】
また、ＤＶＤ−ＲＡＭディスクではフォーマット時にそのセクタがどういった状態なのかをデータＩＤフィールド（Ｄａｔａ  ＩＤ  Ｆｉｅｌｄ）に定義されているデータフィールドナンバ（Ｄａｔａ  Ｆｉｅｌｄ  Ｎｕｍｂｅｒ）に記録する。
データＩＤフィールドは、データフィールドインフォメーション（Ｄａｔａ  Ｆｉｅｌｄ  Ｉｎｆｏｒｍａｔｉｏｎ）とデータフィールドナンバで構成され、データフィールドインフォメーションには、そのセクタのレイヤ（Ｌａｙｅｒ）番号やリードイン領域（Ｌｅａｄ−ｉｎ）なのかデータ領域（Ｄａｔａ）なのかを識別するための情報が記録され、データフィールドナンバにはそのセクタ番号が記録される。
他のＤＶＤ−ＲＯＭ互換の規格もほぼ同様であり、例えば、ＤＶＤ＋Ｒ／ＲＷディスクではデータＩＤフィールドはアイデンティフィケーションデータ（Ｉｄｅｎｔｉｆｉｃａｔｉｏｎ  Ｄａｔａ）と定義される。
【０００９】
同様に、データフィールドインフォメーションはセクタインフォメーション（Ｓｅｃｔｏｒ  Ｉｎｆｏｒｍａｔｉｏｎ）と定義され、データフィールドナンバはフィジカルセクタナンバ（Ｐｈｙｓｉｃａｌ  Ｓｅｃｔｏｒ  Ｎｕｍｂｅｒ）と定義され、内容もほぼ同様である。
基本的にＤＶＤ−ＲＡＭディスクでは、このデータフィールドナンバにはそのセクタ番号が記録されるが、セクタの状態によって、セクタ番号ではない値が記録されることがある。
例えば、フォーマット時に行われる欠陥検出処理（Ｃｅｒｔｉｆｉｃａｔｉｏｎ）を行った場合、データフィールドナンバは「００００００〜０００００Ｆ」の範囲の値が記録される。
【００１０】
そのような場合、そのセクタ番号がわからなくなるが、ＤＶＤ−ＲＡＭディスクにはデータＩＤフィールドのほかにアドレスを判断するためのフィジカルＩＤフィールド（Ｐｈｙｓｉｃａｌ  ＩＤ  Ｆｉｅｌｄ）があり、ここに物理アドレスが定義されている。
そのため、データフィールドナンバにアドレス以外の情報を記録しても問題がない。
他のＤＶＤ−ＲＯＭ互換のディスクにおいてもこのフィジカルＩＤフィールドを使用すれば、ＤＶＤ−ＲＡＭディスクと同様の情報が記録できるが、フィジカルＩＤフィールドはＤＶＤ−ＲＡＭディスク特有の領域であり、他のＤＶＤ−ＲＯＭ互換の規格では存在せず使用することができない。
この発明は上記の点に鑑みてなされたものであり、記録媒体の使用に特別な変更を追加しなくてもデータ再生時にユーザデータか否かの判断ができるようにすることを目的とする。
【課題を解決するための手段】
【００１１】
この発明は上記の目的を達成するため、次の情報記録再生装置、情報記録再生方法、プログラム、コンピュータ読み取り可能な記録媒体を提供する。
（１）データ領域内に予め設定した最小単位で構成されたデータを所定数集めたブロック単位で記録し、上記最小単位はユーザデータを記録するユーザデータ部と上記ユーザデータとダミーデータとを識別可能にする属性情報を記録する属性情報部とを有する情報記録媒体に対して、上記データ領域内の任意の領域に記録を行う記録手段と、上記データ領域に記録されたデータを再生する再生手段と、上記データ領域内に対して上記ダミーデータを記録するダミーデータ記録手段を備えた情報記録再生装置であって、上記記録手段及びダミーデータ記録手段に、上記属性情報部に上記属性情報を記録する属性情報記録手段を設けた情報記録再生装置。
【００１２】
（２）上記（１）の情報記録再生装置において、上記再生手段は、上記属性情報に基づいて上記データ領域のうち上記ユーザデータが記録されている領域と、上記ユーザデータが記録されていない領域とを識別する識別手段と、該識別手段による識別結果に基づいて上記再生手段による再生を制御する制御手段を有する情報記録再生装置。
（３）上記（２）の情報記録再生装置において、上記再生手段は、外部から再生を要求された領域を再生し、その再生が正常に終了しなかった再生エラー領域に対して、上記識別手段によってユーザデータが記録されている領域か否かを識別させる手段を有し、上記制御手段は、上記識別手段によってユーザデータが記録されていない領域であったことを識別したときに上記ダミーデータを返送する手段を有する情報記録再生装置。
【００１３】
（４）上記（２）の情報記録再生装置において、上記再生手段は、外部から再生を要求された領域を再生し、その再生が正常に終了しなかった再生エラー領域に対して、上記識別手段によってユーザデータが記録されている領域か否かを識別させる手段を有し、上記制御手段は、上記識別手段によってユーザデータが記録されている領域であると識別したときに再生のリトライを行う手段を有する情報記録再生装置。
（５）上記（２）の情報記録再生装置において、上記再生手段は、外部から再生を要求された領域を再生し、その再生が正常に終了しなかった再生エラー領域に対して、上記識別手段によってユーザデータが記録されている領域か否かを識別させる手段を有し、上記制御手段は、上記識別手段によってユーザデータが記録されている領域であると識別したときに再生処理をエラーにする手段を有する情報記録再生装置。
【００１４】
（６）上記（１）〜（５）のいずれかの情報記録再生装置において、上記識別手段によってユーザデータが記録されている領域か否かを識別できなかったときには、再生処理をエラーにする手段を設けた情報記録再生装置。
（７）上記（１）〜（５）のいずれかの記載の情報記録再生装置において、上記識別手段によってユーザデータが記録されている領域か否かを識別できなかったときには、その識別できなかった領域を欠陥領域とする手段を設けた情報記録再生装置。
（８）上記（３）〜（７）のいずれかの情報記録再生装置において、上記データ領域内の欠陥を交替する交替手段を設け、上記交替手段に、上記識別手段によってユーザデータが記録されていない領域と識別したときに当該再生エラー領域の交替を行って所定の交替領域にダミーデータを記録する手段を設けた情報記録再生装置。
【００１５】
（９）上記（１）〜（８）のいずれかの情報記録再生装置において、上記データ領域内の欠陥領域を検出する欠陥検出手段と、該欠陥検出手段によって検出された上記データ領域内の欠陥領域を交替領域に交替する交替手段とを設け、上記欠陥検出手段に、上記データ領域内で検出された欠陥領域に上記識別手段によってユーザデータが記録されていない領域と識別したときに当該欠陥領域の交替を行って所定の交替領域にダミーデータを記録する手段を設けた情報記録再生装置。
（１０）データ領域内に予め設定した最小単位で構成されたデータを所定数集めたブロック単位で記録し、上記最小単位はユーザデータを記録するユーザデータ部と上記ユーザデータとダミーデータとを識別可能にする属性情報を記録する属性情報部とを有する情報記録媒体に対して、上記データ領域内の任意の領域に記録を行う記録工程と、上記データ領域に記録されたデータを再生する再生工程と、上記データ領域内に対して上記ダミーデータを記録するダミーデータ記録工程とからなる情報記録再生方法であって、上記記録工程及びダミーデータ記録工程に、上記属性情報部に上記属性情報を記録する属性情報記録工程を設けた情報記録再生方法。
【００１６】
（１１）コンピュータに、データ領域内に予め設定した最小単位で構成されたデータを所定数集めたブロック単位で記録し、上記最小単位はユーザデータを記録するユーザデータ部と上記ユーザデータとダミーデータとを識別可能にする属性情報を記録する属性情報部とを有する情報記録媒体に対して、上記データ領域内の任意の領域に記録を行う記録手順と、上記データ領域に記録されたデータを再生する再生手順と、上記データ領域内に対して上記ダミーデータを記録するダミーデータ記録手順とを実行させるプログラムであって、上記記録手順及びダミーデータ記録手順に、上記属性情報部に上記属性情報を記録する属性情報記録手順を設けたプログラム。
（１２）上記（１１）のプログラムを記録したコンピュータ読み取り可能な記録媒体。
【発明の効果】
【００１７】
この発明による情報記録再生装置と情報記録再生方法は、記録媒体の使用に特別な変更を追加しなくてもデータ再生時にユーザデータか否かの判断ができる。また、この発明によるプログラムは、コンピュータに記録媒体の使用に特別な変更を追加しなくてもデータ再生時にユーザデータか否かの判断を行わせることができる。さらに、この発明によるコンピュータ読み取り可能な記録媒体は、コンピュータに記録媒体の使用に特別な変更を追加しなくてもデータ再生時にユーザデータか否かの判断を行わせるためのプログラムを配布可能にすることができる。
【発明を実施するための最良の形態】
【００１８】
以下、この発明を実施するための最良の形態を図面に基づいて具体的に説明する。
図１は、この発明の実施例の光情報記録再生装置の構成を示すブロック図である。
同図に示される光情報記録再生装置は、情報記録媒体としての光ディスク１を回転駆動するためのスピンドルモータ２、光ピックアップ装置３、レーザコントロール回路４、エンコーダ５、モータドライバ６、再生信号処理回路７、サーボコントローラ８、メモリとしてのバッファＲＡＭ９、バッファマネージャ１０、インタフェース１１、ＲＯＭ１２、ＲＡＭ１３、ＣＰＵ１４を備えている。
なお、同図における矢印は、代表的な信号や情報の流れを示すものであり、各ブロックの接続関係の全てを表すものではない。
また、本実施例では、光ディスク１には、一例としてＤＶＤ＋ＲＷディスクの規格に準拠した記録媒体を用いた場合を説明する。
【００１９】
光ピックアップ装置３は、光ディスク１のスパイラル状又は同心円状のトラック（記録領域）が形成された記録面にレーザ光を照射するとともに、記録面からの反射光を受光するための装置である。
この光ピックアップ装置３は、光源としての半導体レーザ、その半導体レーザから出射される光束を光ディスク１の記録面に導くとともに、上記記録面で反射された戻り光束を所定の受光位置まで導く光学系、上記受光位置に配置され戻り光束を受光する受光器、及び駆動系（フォーカシングアクチュエータ、トラッキングアクチュエータ及びシークモータ）（いずれも公知なので図示を省略）などを含んで構成されている。
そして、上記受光器からは、その受光量に応じた信号が再生信号処理回路７に出力される。
【００２０】
再生信号処理回路７は、上記受光器の出力信号に基づいてウォブル信号、ＲＦ信号及びサーボ信号（フォーカスエラー信号、トラックエラー信号）などを検出する。
さらに、再生信号処理回路７は、検出したウォブル信号からアドレスインプレグルーブ（Ａｄｄｒｅｓｓ  Ｉｎ  Ｐｒｅ−ｇｒｏｏｖｅ：ＡＤＩＰ情報）情報及び同期信号等を抽出し、ＡＤＩＰ情報をＣＰＵ１４に、同期信号をエンコーダ５にそれぞれ出力する。
さらに、再生信号処理回路７は、検出したＲＦ信号に対して復号処理及び誤り訂正処理等を行った後、再生データとしてバッファマネージャ１０を介してバッファＲＡＭ９に格納する。なお、復号処理に際して発生したエラー（エラーレート）はＣＰＵ１４に通知される。また、ここで検出されたサーボ信号はサーボコントローラ８に出力される。
【００２１】
サーボコントローラ８は、再生信号処理回路７からのフォーカスエラー信号に基づいてフォーカスずれを補正するための制御信号を生成し、トラックエラー信号に基づいてトラックずれを補正するための制御信号を生成する。ここで生成された各制御信号はそれぞれモータドライバ６に出力される。
モータドライバ６は、サーボコントローラ８からの各制御信号に応じて光ピックアップ装置３のトラッキングアクチュエータ及びフォーカシングアクチュエータを駆動する。
すなわち、再生信号処理回路７、サーボコントローラ８及びモータドライバ６によってトラッキング制御及びフォーカス制御が行われる。
また、モータドライバ６は、ＣＰＵ１４の指示に基づいてスピンドルモータ２及び光ピックアップ装置３のシークモータを駆動する。
【００２２】
バッファマネージャ１０は、バッファＲＡＭ９へのデータの入出力を管理し、蓄積されたデータ量が所定の値になると、ＣＰＵ１４に通知する。
エンコーダ５は、ＣＰＵ１４の指示に基づいて、バッファＲＡＭ９に蓄積されているデータをバッファマネージャ１０を介して取り出し、データ変調及びエラー訂正コードの付加などを行い、光ディスク１への書き込み信号を生成するとともに、再生信号処理回路７からの同期信号に同期してレーザコントロール回路４に出力する。
レーザコントロール回路は、エンコーダ５からの書き込み信号及びＣＰＵ１４の指示に基づいて、光ピックアップ装置３から出射されるレーザ光の出力を制御する。
【００２３】
インタフェース１１は、ホストコンピュータ（例えば、パーソナルコンピュータ）との双方向の通信インタフェースであり、アタピ（ＡＴ  Ａｔｔａｃｈｍｅｎｔ  Ｐａｃｋｅｔ  Ｉｎｔｅｒｆａｃｅ：ＡＴＡＰＩ）、スカジー（Ｓｍａｌｌ  Ｃｏｍｐｕｔｅｒ  Ｓｙｓｔｅｍ  Ｉｎｔｅｒｆａｃｅ：ＳＣＳＩ）及びユーエスビー（Ｕｎｉｖｅｒｓａｌ  Ｓｅｒｉａｌ  Ｂｕｓ：ＵＳＢ）等の標準インタフェースに準拠している。
ＲＯＭ１２には、ＣＰＵ１４にて解読可能なコードで記述された後述するホストコンピュータからの記録要求に応じてデータを光ディスクに記録するプログラムが格納されている。また、この発明に係る制御処理を行う手順からなるプログラムも格納する。
【００２４】
そして、ＣＰＵ１４がＲＡＭ１３を作業領域として、ＲＯＭ１２に格納されたプログラムに基づくこの発明に係る情報記録再生方法の処理を実行する。すなわち、ＣＰＵ１４がこの発明にかかる情報記録再生装置の各手段の機能を果たす。また、この発明に係るプログラムを光ディスクに記録すれば、その光ディスクを介して配布可能になり、多くの光情報記録再生装置に光ディスクを介してこの発明に係るプログラムをインストールすることができる。
【００２５】
ここで、この光情報記録再生装置におけるデータ記録処理について説明する。
先ず、記録速度に基づいてスピンドルモータ２の回転を制御するための制御信号をモータドライバ６に出力するとともに、ホストコンピュータから受信したユーザデータをバッファＲＡＭ９に蓄積するようにバッファマネージャ１０に指示する。
さらに、ホストコンピュータから記録要求コマンドを受信した旨を再生信号処理回路７に通知する。
これにより、光ディスク１の回転が所定の線速度に達すると、上記トラッキング制御及びフォーカス制御が行われる。
なお、トラッキング制御及びフォーカス制御は記録処理が終了するまで随時行われる。
【００２６】
そして、バッファマネージャ１０からバッファＲＡＭ９に蓄積されたユーザデータのデータ量が所定の量を超えたとの通知を受けると、エンコーダ５に書き込み信号の生成を指示し、光ピックアップ装置３が書き込み開始地点に到達すると、エンコーダ５に通知する。これにより、ユーザデータは、エンコーダ５、レーザコントロール回路４及び光ピックアップ装置３を介して光ディスク１に書き込まれる。ホストコンピュータからのユーザデータがすべて書き込まれると記録処理を終了する。
【００２７】
次に、この光情報記録再生装置におけるデータ再生処理について説明する。
先ず、再生速度に基づいてスピンドルモータ２の回転を制御するための制御信号をモータドライバ６に出力するとともに、再生要求コマンドを受信した旨を再生信号処理回路７に通知する。これにより、光ディスク１の回転が所定の線速度に達すると、上記トラッキング制御及びフォーカス制御が行われる。
なお、トラッキング制御及びフォーカス制御は再生処理が終了するまで随時行われる。
そして、光ピックアップ装置３が読み出し開始地点に到達すると、再生信号処理回路７に通知する。これにより、上述の如く再生信号処理回路７を介して再生データがバッファＲＡＭ９に蓄積されるとともに、再生データがセクタデータとして揃うと、バッファマネージャ１０及びインタフェース１１を介してホストコンピュータに転送される。ホストコンピュータから指定された全てのデータを再生すると再生処理を終了する。
【００２８】
図２は、この光情報記録再生装置におけるバックグランドフォーマット（この発明に係る記録手段とダミーデータ記録手段）によって記録された光ディスクの記録フォーマットを示す図である。
リードイン領域（Ｌｅａｄ−Ｉｎ）、リードアウト領域（Ｌｅａｄ−Ｏｕｔ）と呼ばれる領域を持ち、ホストコンピュータ（ユーザ）から記録可能な領域は、データゾーン（Ｄａｔａ  Ｚｏｎｅ）と呼ばれる領域があり、これがデータ領域である。
また、リードイン領域には、ディスクインフォメーション領域（Ｄｉｓｃ  Ｉｎｆｏｒｍａｔｉｏｎ  Ａｒｅａ）を含む領域があり、その領域内に各種管理情報が記録され、その領域内のアイデンティフィケーションＩＤ領域（Ｉｄｅｎｔｉｆｉｃａｔｉｏｎ  ＩＤ  Ａｒｅａ）は、ユーザデータビットマップや最終アドレス情報（ＬＷＡ）が記録される領域である。さらに、リードイン領域には、ディフェクトリスト領域（Ｄｅｆｅｃｔ  Ｌｉｓｔ  Ａｒｅａ）もある。
【００２９】
また、同図に示すように、データゾーン内に交替領域であるリプレースメント領域（Ｒｅｐｌａｃｅｍｅｎｔ  Ａｒｅａ）がある。
同図では、ＬＷＡまでダミーデータ（Ｄｕｍｍｙ  Ｄａｔａ）が記録されてバックグランドフォーマットが進んだ状態を示しており、そのダミーデータ内の一部と未だフォーマットが済んでいない部分にユーザデータが記録されている状態（すなわち、同図に示すように、ランダムにユーザデータが記録されている状態）を示している。
【００３０】
図３は、この発明の参考となる従来のデータゾーン内のビットマップ（Ｂｉｔｍａｐ）の構成例を示す図である。
これは、図２に示したディスクの状態を示したものであり、ビットが１の場合は未記録であり、０の場合は記録済みを示す。
図３に示すように、ＬＷＡまではダミーデータによってデータが記録されているため、ビットマップはこのアドレスまでは０となり、それ以降は１となる（図中斜線を施した領域）。
ただし、図３に示すように、ＬＷＡより大きいアドレスにユーザデータが記録されている場合、そのアドレスは０となる（図中斜線を施した領域）。
この場合、ＬＷＡより小さいアドレスにユーザデータが記録された場合、そのアドレスは既にダミーデータによって記録済みのため、ビットマップは変更されず、ユーザデータか否かの識別をすることができない。
【００３１】
図４は、データ領域内にデータを記録するときの最小記録単位である１セクタのデータ構造を示す図である。
このデータフレーム（Ｄａｔａ  Ｆｒａｍｅ）のデータ構造は、１セクタは２０６４バイト（ｂｙｔｅ）で構成されており、実際にユーザデータが記録されるのは２０４８バイトである。
残り部分は、ＩＤ、ＩＥＤ、ＲＳＶ、ＥＤＣという領域で構成される。
ＩＤの部分はそのセクタ情報とアドレスが記録されている。ＩＥＤはＩＤのエラーを検出するために用いられ、ＥＤＣはユーザデータのエラーを検出するために使用される。また、ＲＳＶはアプリケーションによって使用される場合があるが、基本的にはゼロデータが記録される。
【００３２】
図５は、上記ＩＤの部分の構成をさらに詳しく示す図である。
ＩＤはセクタインフォメーション（Ｓｅｃｔｏｒ  Ｉｎｆｏｒｍａｔｉｏｎ）とフィジカルセクタナンバ（Ｐｈｙｓｉｃａｌ  Ｓｅｃｔｏｒ  Ｎｕｍｂｅｒ）とで構成されており、さらにセクタインフォメーションは７つの情報を保持してる。
その７つの情報のｂ３１にはセクタのフォーマットタイプの情報を示すセクタフォーマットタイプデータ（Ｓｅｃｔｏｒ  ｆｏｒｍａｔ  ｔｙｐｅ）を、ｂ３０にはトラッキング方法の情報を示すトラッキングメソッド（Ｔｒａｃｋｉｎｇ  ｍｅｔｈｏｄ）の情報を、ｂ２９には反射率の情報を示すリフレクティビティ（Ｒｅｆｌｅｃｔｉｖｉｔｙ）の情報を、ｂ２８は未使用を示す情報であるディアイス（Ｄｅ−ｉｃｅ）情報を、ｂ２７とｂ２６にはそのゾーンがデータなのかリードイン領域、リードアウト領域なのかを示す情報であるゾーンタイプ（Ｚｏｎｅ  Ｔｙｐｅ）の情報を、ｂ２５にはデータの属性を示すデータタイプ（Ｄａｔａ  ｔｙｐｅ）情報を、ｂ２４にはレイヤ番号（Ｌａｙｅｒ  ｎｕｍｂｅｒ）の情報をそれぞれ記録する。
【００３３】
例えば、ここで、ｂ２８のＤｅ−ｉｃｅのビットの部分にダミーデータの場合は１にするとの処理を行えば、ユーザデータとダミーデータの判断が可能になる。
また、特にこの部分に限定せず、例えば、ゾーンタイプ（Ｚｏｎｅ  Ｔｙｐｅ）に追加してもいいし、ＲＳＶの領域に記録しても良い。
【００３４】
図６は、ディスクインフォメーション領域（Ｄｉｓｃ  Ｉｎｆｏｒｍａｔｉｏｎ  Ａｒｅａ）内のアイデンティフィケーションＩＤ領域に記録されるビットマップとＬＷＡに関係する情報を示す図である。
アイデンティフィケーションＩＤ領域には、同図に示すような情報に基づくフォーマットでＬＷＡとデータビットマップ（Ｄａｔａ  Ｂｉｔｍａｐ）を記録する。
【００３５】
メインデータバイト位置のＤ０  ｔｏ  Ｄ３のアイデンティフィケーションＩＤ（Ｉｄｅｎｔｉｆｉｃａｔｉｏｎ  ＩＤ）は、この管理情報が記録されていることを示す識別ＩＤが記録される。ここはバックグランドフォーマット開始と共に有効となり、欠陥検出処理終了後、無効となる。
ドライブＩＤ（Ｄｒｉｖｅ  ＩＤ）には、記録したドライブ（光情報記録再生装置）の固有の値が記録される。
フォーマッティングステイタスアンドモード（Ｆｏｒｍａｔｔｉｎｇ  Ｓｔａｔｕｓ  ａｎｄ  ｍｏｄｅ）は、バックグランドフォーマットの状態が記録される。
【００３６】
例えば、Ｄ４４のビット（Ｂｉｔ）７，６が００の場合は、未フォーマットディスク、０１の場合は途中まで、０１の場合はフォーマット完了という情報が記録される。
ラストリットンアドレス（Ｌａｓｔ  Ｗｒｉｔｔｅｎ  Ａｄｄｒｅｓｓ）には、どこまでユーザデータまたはフォーマットによって連続的に記録された最終アドレス情報が記録される。
また、ラストベリファイドアドレス（Ｌａｓｔ  Ｖｅｒｉｆｉｅｄ  Ａｄｄｒｅｓｓ）にはバックグランドフォーマット終了後に行われる欠陥検出処理が終了した最終アドレスが記録される。
【００３７】
ビットマップスタートアドレス（Ｂｉｔｍａｐ  Ｓｔａｒｔ  Ａｄｄｒｅｓｓ）は、ユーザデータビットマップ（Ｕｓｅｒ  Ｄａｔａ  Ｂｉｔｍａｐ）領域の最初のビットが示すデータ領域内のアドレスである。
ビットマップレングス（Ｂｉｔｍａｐ  Ｌｅｎｇｔｈ）は、ユーザデータビットマップが管理しているユーザデータ領域内のＥＣＣブロック数を示す。
また、ディスクＩＤ（Ｄｉｓｃ  ＩＤ）は、ドライブ（光情報記録再生装置）が生成したユニークなＩＤ情報が記録される。
データビットマップ（Ｄａｔａ  Ｂｉｔｍａｐ）は、記録済み領域か未記録かを判別するための情報である、ユーザデータ領域の所定単位毎のアドレスに対応した１ビットのフラグ情報が記録される。
【００３８】
図７は、欠陥リストを管理するディフェクトリスト領域（Ｄｅｆｅｃｔ  Ｌｉｓｔ  Ａｒｅａ）に格納される欠陥リストの情報を示す図である。
欠陥リストは、欠陥元のアドレスとその交替先アドレスとそれぞれのブロックの状態を示した情報であり、同図に示すように、ステータス１，ディフェクトブロックアドレス（Ｄｅｆｅｃｔ  Ｂｌｏｃｋ  Ａｄｄｒｅｓｓ），ステータス２，リプレースブロックアドレス（Ｒｅｐｌａｃｅ  Ｂｌｏｃｋ  Ａｄｄｒｅｓｓ）が記録される。
【００３９】
図８は、ステータス（Ｓｔａｔｕｓ）１とステータス２が示す情報の内容を一覧で示す図である。
同図の（ａ）に示すように、ディフィニィション（Ｄｅｆｉｎｉｔｉｏｎ）欄に示すような状態が定義されている。
例えば、正しく交替されている状態（Ｓｔａｔｕｓ１＝００００ｂ）では欠陥ＥＣＣブロックが当該交替ブロックに割り当てられており、「有効なエントリであることを示し、データの交替が行われている」である。
また、データが交替されていない状態（Ｓｔａｔｕｓ１＝０００１ｂ）では「有効なエントリであることを示し、データの交替が行われていない」である。
【００４０】
さらに、欠陥ＥＣＣブロックが割り当てられていない状態（Ｓｔａｔｕｓ１＝００１０ｂ）では「未使用エントリであることを示す」である。
さらにまた、当該交替ブロックが欠陥である状態（Ｓｔａｔｕｓ１＝００１１ｂ）では「欠陥エントリであることを示す」である。また、その他はリザーブである。
同図の（ｂ）には、ステータス２が示す情報の内容を示している。例えば、（Ｓｔａｔｕｓ２＝００００ｂ）では「欠陥ブロックは交替ブロックと同じデータが記録されていることを示す」であり、（Ｓｔａｔｕｓ２＝０００１ｂ）では「欠陥ブロックは交替ブロックと異なるデータが記録されていることを示す」である。
【００４１】
図９は、この光情報記録再生装置におけるダミーデータ記録要求受信時の処理を示すフローチャート図である。
このダミーデータ記録要求受信時の処理は、ＣＰＵ１４が、バックグランドフォーマット要求を受信し（ステップ（図中「Ｓ」で示す）１）、バックグランドフォーマットを開始する（ステップ２）。
最初にリードイン領域にフォーマットを開始したか否か等の情報を記録する初期化処理を行い（ステップ３）、ホストコンピュータへ処理終了を報告する（ステップ４）。この時点でホストコンピュータからのデータ領域に対するアクセスが可能になる。
その後、ダミーデータ記録を行うＤｅ−ｉｃｅを開始し（ステップ５）、Ｄｅ−Ｉｃｅビットを１にする。
【００４２】
続いて、ホストコンピュータからユーザデータ記録要求が有ったか否かを判断し（ステップ６）、ユーザデータ記録要求があった場合、Ｄｅ−Ｉｃｅビットをゼロにして、ユーザデータ記録を行い（ステップ７）、ビットマップを更新する（ステップ８）。
一方、ユーザデータ記録要求がない場合、バックグランドフォーマットが終了したか否かを判断し（ステップ９）、終了していない場合は、ラストリットンアドレス（ＬＷＡ）を更新し（ステップ１０）、ステップ６の処理へ戻る。また、フォーマットが終了していた場合、この処理を終了する。
【００４３】
図１０は、この光情報記録再生装置における再生要求受信時の処理を示すフローチャート図である。
この再生要求受信時の処理は、ＣＰＵ１４が、ホストコンピュータからの再生要求を受信する（ステップ２１）と、続いて再生処理を開始し（ステップ２２）、再生するデータを光情報記録再生装置内のバッファＲＡＭに取り込む（ステップ２３）。
その後、正常終了か否かを判断し（ステップ２４）、正常終了の場合は、再生データをホストコンピュータに転送し（ステップ２８）、処理終了を報告をし（ステップ３０）、この処理を終了する。
【００４４】
正常終了でない場合は、ＩＤが読めるか否かを判断し（ステップ２５）、ＩＤが読めなかった場合は、エラーとして報告（ステップ２７）し、処理終了の報告をし（ステップ３０）、この処理を終了する。
ＩＤが読めた場合は、セクタインフォメーション（Ｓｅｃｔｏｒ  Ｉｎｆｏｒｍａｔｉｏｎ）の情報からユーザデータか否かを判断し（ステップ２６）、ユーザデータでなかった場合は、実際の再生処理を行わずにダミーデータを返し（ステップ２９）、処理終了を報告し（ステップ３０）、この処理を終了する。
ユーザデータだった場合、エラーとして報告（ステップ２７）し、処理終了を報告をし（ステップ３０）、この処理を終了する。
【００４５】
図１１は、この光情報記録再生装置における再生要求受信時の他の処理を示すフローチャート図である。
この再生要求受信時の処理は、ＣＰＵ１４が、ホストコンピュータからの再生要求を受信する（ステップ４１）と、続いて再生処理を開始し（ステップ４２）、再生するデータを光情報記録再生装置内のバッファＲＡＭに取り込む（ステップ４３）。
その後、正常終了か否かを判断し（ステップ４４）、正常終了の場合は、再生データをホストコンピュータに転送し（ステップ５０）、処理終了を報告をし（ステップ５１）、この処理を終了する。
正常終了でない場合は、ＩＤが読めるか否かを判断し（ステップ４５）、ＩＤが読めなかった場合は、再生回数が所定回数よりオーバーしたか否かを判断し（ステップ４７）、オーバーしていなければ、ステップ４２へ戻って上述の処理を繰り返す。
【００４６】
再生回数が所定回数よりオーバーしてれば、エラーとして報告（ステップ４８）し、処理終了を報告をし（ステップ５１）、この処理を終了する。
ＩＤが読めた場合は、セクタインフォメーションの情報に基づいてユーザデータか否かを判断し（ステップ４６）、ユーザデータでなければ、実際の再生処理を行わずにダミーデータを返して（ステップ４９）、処理終了を報告をし（ステップ５１）、この処理を終了する。
ユーザデータなら、再生回数が所定回数よりオーバーしたか否かを判断し（ステップ４７）、オーバーなら、エラーとして報告（ステップ４８）し、処理終了を報告をし（ステップ５１）、この処理を終了する。
【００４７】
図１２は、この光情報記録再生装置における交替処理を示すフローチャート図である。
この交替処理は、ＣＰＵ１４が、ホストコンピュータからの再生要求を受信する（ステップ６１）と、続いて再生処理を開始し（ステップ６２）、再生するデータを光情報記録再生装置内のバッファＲＡＭに取り込む（ステップ６３）。
その後、正常終了か否かを判断し（ステップ６４）、正常終了の場合は、再生データをホストコンピュータに転送し（ステップ７２）、処理終了を報告をし（ステップ７４）、この処理を終了する。
正常終了でない場合は、ＩＤが読めるか否かを判断し（ステップ６５）、ＩＤが読めなかった場合は、再生回数が所定回数よりオーバーしたか否かを判断し（ステップ６７）、オーバーしていなければ、ステップ６２へ戻って上述の処理を繰り返す。
【００４８】
再生回数が所定回数よりオーバーしてれば、欠陥リストに登録（ステップ６８）する。このとき、Ｓｔａｔｕｓ１＝０００１ｂにする（図８の（ａ）参照）。その後、エラーとして報告（ステップ７３）し、処理終了を報告をし（ステップ７４）、この処理を終了する。
ＩＤが読めた場合は、セクタインフォメーションの情報に基づいてユーザデータか否かを判断し（ステップ６６）、ユーザデータでなければ、欠陥リストに登録する（ステップ６９）。このとき、Ｓｔａｔｕｓ１＝００００ｂとする（図８の（ａ）参照）。
上記ステップ６９は、ステップ６８の処理と違って、もう一度この領域に対して、再生要求が来た場合は、欠陥リストのステータスに従って交替先を直接読むことができるため、リトライなどの処理時間を減らすことができる。
【００４９】
続いて、交替領域にダミーデータを記録し（ステップ７０）、実際の再生処理を行わずにダミーデータを返し（ステップ７１）、処理終了の報告をし（ステップ７４）、この処理を終了する。
ユーザデータなら、再生回数が所定回数よりオーバーしたか否かを判断し（ステップ６７）、オーバーしていなければ、ステップ６２へ戻って上述の処理を繰り返す。オーバーなら、欠陥リストに登録（ステップ６８）する。このとき、Ｓｔａｔｕｓ１＝０００１ｂにする（図８の（ａ）参照）。その後、エラーとして報告（ステップ７３）し、処理終了を報告をし（ステップ７４）、この処理を終了する。
【００５０】
図１３は、この光情報記録再生装置における欠陥検出要求受信時の処理を示すフローチャート図である。
この欠陥検出要求受信時の処理は、ＣＰＵ１４が、欠陥検出要求を受信し（ステップ８１）、欠陥検出処理を開始する（ステップ８２）。ここで、欠陥検出処理は、データをバッファＲＡＭに取り込む処理を含む。
続いて指定された領域が欠陥か否かを判断し（ステップ８３）、その領域が欠陥でない場合には、全領域検出済み（すべての領域に対して欠陥検出が終了した）か否かを判断し（ステップ８９）、済みならば、この処理を終了し、済みでなければ、管理領域に記録されているラストベリファイドアドレス（Ｌａｓｔ  Ｖｅｒｉｆｉｅｄ  Ａｄｄｒｅｓｓ）を参照して（ステップ９０）、ステップ８２へ戻って再び欠陥検出処理を開始する。
【００５１】
指定領域が欠陥だった場合は、ＩＤが読めるか否かを判断し（ステップ８４）、ＩＤが読めなかった場合は、欠陥リストに登録する（ステップ８６）。この時、Ｓｔａｔｓｕ１＝０００１ｂとする（図８参照）。
その後、全領域検出済みか否かを判断し（ステップ８９）、済みならば、この処理を終了し、済みでなければ、管理領域に記録されているラストベリファイドアドレスを参照して（ステップ９０）、ステップ８２へ戻って再び欠陥検出処理を開始する。
ＩＤが読めた場合は、セクタインフォメーションの情報に基づいてユーザデータか否かを判断し（ステップ８５）、ユーザデータでなければ、欠陥リストに登録する（ステップ８７）。この時、Ｓｔａｔｕｓ１＝００００ｂとする（図８参照）。ステップ８７は、ステップ８６と違って、もう一度この領域に対して再生要求が来た場合は、欠陥リストのステータスに従い、交替先を直接読むことができるため、処理時間を減らすことができる。
【００５２】
続いて、交替領域にダミーデータを記録し（ステップ８８）、全領域検出済みか否かを判断し（ステップ８９）、済みならば、この処理を終了し、済みでなければ、管理領域に記録されているラストベリファイドアドレスを参照して（ステップ９０）、ステップ８２へ戻って再び欠陥検出処理を開始する。
ユーザデータなら、欠陥リストに登録する（ステップ８６）。この時、Ｓｔａｔｓｕ１＝０００１ｂとする（図８参照）。
その後、全領域検出済みか否かを判断し（ステップ８９）、済みならば、この処理を終了し、済みでなければ、管理領域に記録されているラストベリファイドアドレスを参照して（ステップ９０）、ステップ８２へ戻って再び欠陥検出処理を開始する。
【００５３】
このようにして、セクタインフォメーションにそのセクタがユーザデータであるという情報を記録するので、データ再生時にユーザデータか否かの判断ができ、ユーザデータでない場合は、再生処理をエラーにせずにダミーデータを返すことができるし、再生しなくともダミーデータを返すことができ、利便性が向上する。
【００５４】
また、ユーザデータか否かを判断するためには、そのアドレスを読むまでは判断することができない。また、データを読み取った場合、記録品質などが悪く正しく読み取れない場合がある。そのような場合でもＩＤの部分はユーザデータに比べてデータ量が少ないため、ほぼ正確に読み出すことが可能である。しかし、ＩＤも読めないような光ディスクの場合には判断することができないし、ＩＤが読めないということは、その部分の記録品質がかなり悪いか重大な欠陥がある記録媒体であると考えられる。そういった場合は、他の部分を同様に読めない可能性が高いため、再生エラーで終了することができる。
【００５５】
さらに、欠陥管理機能と交替処理をもつＤＶＤ＋ＭＲＷディスクのようなフォーマットでは、欠陥検出機能によって検出した欠陥領域や、再生エラーとなった領域を、今後使用しないようにするため欠陥管理リストに登録するが、欠陥領域や再生がエラーとなった領域がユーザデータか否か判断できないため、交替領域にデータを交替することができない。そこで、この情報記録再生装置では、ＤＶＤ＋ＭＲＷディスクのようなフォーマットでも、ユーザデータか否かを識別することができるため、エラーになった領域を欠陥リストに登録するだけでなく、交替領域に対して、ダミーデータを記録することにより、データの交替も可能になる。
【産業上の利用可能性】
【００５６】
この発明による情報記録再生装置と情報記録再生方法は、デスクトップパソコン，ノートブックパソコン等のパーソナルコンピュータにおいても適用することができる。
【図面の簡単な説明】
【００５７】
【図１】この発明の実施例の光情報記録再生装置の構成を示すブロック図である。
【図２】図１に示す光情報記録再生装置におけるバックグランドフォーマットによって記録された光ディスクの記録フォーマットを示す図である。
【図３】この発明の参考となる従来のデータゾーン内のビットマップ（Ｂｉｔｍａｐ）の構成例を示す図である。
【図４】データ領域内にデータを記録するときの最小記録単位である１セクタのデータ構造を示す図である。
【図５】図４に示すＩＤの部分の構成をさらに詳しく示す図である。
【００５８】
【図６】ディスクインフォメーション領域（Ｄｉｓｃ  Ｉｎｆｏｒｍａｔｉｏｎ  Ａｒｅａ）内のアイデンティフィケーションＩＤ領域に記録されるビットマップとＬＷＡに関係する情報を示す図である。
【図７】欠陥リストを管理するディフェクトリスト領域（Ｄｅｆｅｃｔ  Ｌｉｓｔ  Ａｒｅａ）に格納される欠陥リストの情報を示す図である。
【図８】ステータス（Ｓｔａｔｕｓ）１とステータス２が示す情報の内容を一覧で示す図である。
【図９】図１に示す光情報記録再生装置におけるダミーデータ記録要求受信時の処理を示すフローチャート図である。
【００５９】
【図１０】図１に示す光情報記録再生装置における再生要求受信時の処理を示すフローチャート図である。
【図１１】図１に示す光情報記録再生装置における再生要求受信時の他の処理を示すフローチャート図である。
【図１２】図１に示す光情報記録再生装置における交替処理を示すフローチャート図である。
【図１３】図１に示す光情報記録再生装置における欠陥検出要求受信時の処理を示すフローチャート図である。
【符号の説明】
【００６０】
１：光ディスク    ２：スピンドルモータ    ３：光ピックアップ装置    ４：レーザコントロール回路    ５：エンコーダ    ６：モータドライバ    ７：再生信号処理回路    ８：サーボコントローラ    ９：バッファＲＡＭ    １０：バッファマネージャ    １１：インタフェース    １２：ＲＯＭ    １３：ＲＡＭ    １４：ＣＰＵ
【図１】
2006185559.tif 000003
【図２】
2006185559.tif 000004
【図３】
2006185559.tif 000005
【図４】
2006185559.tif 000006
【図５】
2006185559.tif 000007
【図６】
2006185559.tif 000008
【図７】
2006185559.tif 000009
【図８】
2006185559.tif 000010
【図９】
2006185559.tif 000011
【図１０】
2006185559.tif 000012
【図１１】
2006185559.tif 000013
【図１２】
2006185559.tif 000014
【図１３】
2006185559.tif 000015